(57)【要約】      （修正有）【課題】コンパクトに収納できるマスクを提供する。【解決手段】鼻から顎まで、かつ両頬までを覆うマスク本体１と、マスク本体の左右の辺の、それぞれの上端と下端に接続する２つの耳掛け部２を有するマスクであって、折り畳んだ状態のマスク本体の上下方向は、まず、中央部、鼻を覆う上部３及び顎を覆う下部４に３分割され、そのマスク本体の中央部に対して、上部は上部折り曲げ線Ｌ１で中央部の内側に折り曲げられており、下部は下部折り曲げ線Ｌ２で中央部の内側に折り曲げられている。上記のように折り曲げられた上で、さらに、マスク本体の中央部の唇の両横に相当する２つの位置それぞれに、左右の頬を覆う部分をそれぞれ内側に折り曲げるための、縦方向に形成された横方向への折り曲げ線が形成される。【選択図】図２
0003233370.tif 000002
【実用新案登録請求の範囲】
【請求項１】
鼻から顎まで、かつ両頬までを覆うマスク本体と、マスク本体の左右の辺の、それぞれの上端と下端に接続する２つの耳掛け部を有するマスクであって、
折り畳んだ状態のマスク本体の上下方向は、まず、中央部、鼻を覆う上部及び顎を覆う下部に３分割され、そのマスク本体の中央部に対して、上部は上部折り曲げ線で中央部の内側に折り曲げられており、下部は下部折り曲げ線で中央部の内側に折り曲げられている。
上記のように折り曲げられた上で、さらに、マスク本体の中央部の唇の両横に相当する２つの位置それぞれに、左右の頬を覆う部分をそれぞれ内側に折り曲げるための、縦方向に形成された横方向への折り曲げ線が形成される。
そして、いずれか一方の頬を覆う部分を、唇に当たる部分の内側に向けて折り曲げ、折り曲げられた一方の頬を覆う部分に接続された１本の耳掛け部を、マスク外面に架け渡し、さらに他方の頬を覆う部分を、唇に当たる部分の内側に向けて折り曲げ、その部分に接続された１本の耳掛け部も、マスク外面に架け渡し、
マスクの外面側からみて、架け渡された２本の耳掛け部が表面にあり、マスクを折り曲げた状態で、固定してなるマスク。
【請求項２】
マスク本体はその中央部の上縁及び下縁に、それぞれ２箇所の切り欠き部を有する請求項１に記載のマスク。
【考案の詳細な説明】
【技術分野】
【０００１】
本考案は、マスクに関するものである。
【背景技術】
【０００２】
鼻から顎にかけての中心の縦の線で、２つ折りにしたマスクは知られている。加えて、マスクの顎に当たる部分と鼻に当たる部分を、口にあたる部分に対して折り曲げて収納されたマスクは、特許文献１に記載のように公知である。そしてこのマスクは、マスクの上下方向に３つ折りにすることにより収納時や、販売用の包装袋に収納された状態において、よりコンパクトにできる。
【先行技術文献】
【特許文献】
【０００３】
【特許文献１】特開２０１９−６００６４号
【考案の概要】
【考案が解決しようとする課題】
【０００４】
特許文献１に記載のマスクは確かにコンパクトに収納できるが、依然として大きく、かつ耳に掛けるゴム等の部位はマスク本体から広がってしまう。その結果として、コンパクトさが不十分であるとともに、耳にかけるゴム等の部位をそのまま広げておいたり、単にマスクに向けて折り曲げておくがけだったりして、見掛け上美しくないときがあった。
【課題を解決するための手段】
【０００５】
本考案は、
１．鼻から顎まで、かつ両頬までを覆うマスク本体と、マスク本体の左右の辺の、それぞれの上端と下端に接続する２つの耳掛け部を有するマスクであって、
折り畳んだ状態のマスク本体の上下方向は、まず、中央部、鼻を覆う上部及び顎を覆う下部に３分割され、そのマスク本体の中央部に対して、上部は上部折り曲げ線で中央部の内側に折り曲げられており、下部は下部折り曲げ線で中央部の内側に折り曲げられている。
上記のように折り曲げられた上で、さらに、マスク本体の中央部の唇の両横に相当する２つの位置それぞれに、左右の頬を覆う部分をそれぞれ内側に折り曲げるための、縦方向に形成された横方向への折り曲げ線が形成される。
そして、いずれか一方の頬を覆う部分を、唇に当たる部分の内側に向けて折り曲げ、折り曲げられた一方の頬を覆う部分に接続された１本の耳掛け部を、マスク外面に架け渡し、さらに他方の頬を覆う部分を、唇に当たる部分の内側に向けて折り曲げ、その部分に接続された１本の耳掛け部も、マスク外面に架け渡し、
マスクの外面側からみて、架け渡された２本の耳掛け部が表面にあり、マスクを折り曲げた状態で、固定してなるマスク。
２．マスク本体はその中央部の上縁及び下縁に、それぞれ２箇所の切り欠き部を有する１に記載のマスク。
【考案の効果】
【０００６】
本考案によると、よりコンパクトにマスクを折り畳むことができる。
そして、耳に掛けるゴム等の環状の耳掛け部を、折り畳んだマスク本体掛け回すことで、この紐部分がマスク本体から飛び出た状態にならず、ない。このため、小さい袋等の包装容器内にマスクを収納する際の作業性を向上させることができる。
また販売時には、従来よりも小さな包装容器内に収納した状態で店頭に展示できるので、より斬新なデザインの外観の包装にすることもできる。
【図面の簡単な説明】
【０００７】
【図１】本考案のマスクの外面を示す図。
【図２】本考案のマスクの内面を示す図。
【図３】本考案のマスクの上部３と下部４をそれぞれ広げた状態を示す図。
【図４】本考案のマスクの使用状態を示す図。
【図５】マスクが折り畳まれて本考案となるための動きを示す図。
【考案を実施するための形態】
【０００８】
本考案のマスクは、上下方向は鼻から顎まで、かつ左右方向は両頬までを覆うマスク本体と、マスク本体の左右の縁を構成する２つの辺の、それぞれの上端と下端に接続する２つの耳掛け部を有するマスクである。
そして、折り畳んだ状態のマスク本体は、マスク本体を上下に３分割し、３分割したマスク本体の中央部に対して、鼻を覆う上部と顎を覆う下部は、それぞれ内側に折り曲げられるための上下方向折り曲げ部で折り曲げられてなる構造を基本とする。
なお、本明細書における「谷折り」は、添付した図面を上方からみたときにおける谷折りである。
【実施例】
【０００９】
この本考案のマスクの構造及び装着までの準備を、添付図を用いて説明する。
本考案のマスクは、図１に示す外面図、図２に示す内面図で示す通りものを基本とする。ここでマスクの外面は、マスクを顔に装着した時に外側に面する側である。マスクの内面は装着時に顔面に直に接する側である。
図１及び２に示すように、本考案のマスクは顔に接してマスクとしての機能を発揮するマスク本体１と、マスク本体の左右の両側の辺のそれぞれ上端と下端に接続する２つの耳掛け部２からなる。この２つの耳掛け部は、マスク本体１とは別の部材であったものをマスク本体に接着や溶着等の手段によって固定されていても良く、マスク本体１と同じ材料であって、特段の固定手段を採用することなく一体に成形されたものでも良い。
マスク本体１及び耳掛け部２の材料としては公知のものを採用できる。マスク本体１は不織布、ガーゼ、織布、多孔性の樹脂シート等から形成できる。耳掛け部２はマスク本体１と同じ材料、及び、異なる材料として、ゴム製等の伸縮性を有する紐等のうちの任意のものを採用できる。
また図１及び図２に示すように、マスク本体はその中央部の上縁及び下縁に、それぞれ２箇所の切り欠き部Cを有し、これらの切り欠き部Cを上下方向に結び、縦方向に形成された２本の折り曲げ線Ｌ３が設けられる。Ｌ３は図２において谷折り線として設けられている。この折り曲げ線Ｌ３によって、左右の頬を覆う部分はそれぞれ内側に折り曲げられる。
【００１０】
本考案のマスクを顔面に装着する際には、折り畳まれたマスク本体１を展開する必要がある。
図２のマスク内面図には、上部折り曲げ線Ｌ１が示されている。マスク中央部５に対して上部３はこの上部折り曲げ線Ｌ１の位置で接着等の手段により一体化されている。よって上部３を広げる際には、この上部折り曲げ線Ｌ１を谷折り線として、この線に沿って上部３を上方に開けて、Ｌ１に沿って谷折りをするようにして拡げられる。このとき、上部折り曲げ線Ｌ１が、図２に示すように中央よりも左右が下方に下がっており、折り曲げ線Ｌ１が山状の線を形成する場合には、上部３を広げたときには中央部５を外面に盛り上げるようになる。又は図２において、上部３が手前に伸びるように向けられる。
【００１１】
また、図２のマスク内面図には、下部折り曲げ線Ｌ２が示されている。マスク中央部５に対して下部４はこの下部折り曲げ線Ｌ２の位置で接着等の手段により一体化されている。ただし、図２では、下部４の外縁は上部１の下に位置して隠れた状態である。そして、下部４を広げる際には、この下部折り曲げ線Ｌ２を谷折り線として、この線に沿って下部４下方に開けて、Ｌ２に沿って谷折りをするようにして拡げられる。このとき、下部折り曲げ線Ｌ２は図２に示すように、中央よりも左右が上方に上がっており、折り曲げ線Ｌ２が谷状の線を形成する場合には、下部４を広げたときには中央部５を外面に盛り上げるようになる。又は図２において、下部４が手前に伸びるように向けられる。その結果を図３で示す。
図３に示すように、本考案のマスクは、マスク本体１が上下に３分割され、３分割したマスク本体１の中央部５に対して、鼻を覆う上部３と、顎を覆う下部４は、それぞれ内側に折り曲げられるための上部折り曲げ線Ｌ１と下部折り曲げ線Ｌ２によって、上部と下部が折り曲げられている。そして、中央部に対して、上部３と下部４をそれぞれ広げることになる。
なお、図２では、上部３と下部４が重なる部分は、図２における表面に上部３が位置し、その下に下部４の一部が位置する。その結果、下部４の外縁は上部１の下に位置して隠れた状態である。しかし、これとは逆に、上部１の外縁を下部４の下に位置して、上部１の多くの部分を下部４の内部に位置させて、図２において、隠れた状態になるようにしても良い。
【００１２】
上部３と下部４を中央部５から広げた状態で、２つの耳掛け部２を手で掴んで、両耳に掛けて、本考案のマスクを装着する。
この場合、図４に示すように、結果として上部３と下部４を広げた後のマスク本体１の立体形状は、中央が外側に膨出し、マスク本体１の上下と左右からなる外縁は、顔の表面の形状に合わせるような輪郭形状を形成してなる形状になる。
なお、上部３と下部４を広げた状態において、２つの耳掛け部２はマスク本体１の中央部５の辺の上下端に固定されている。
【００１３】
本考案のマスクは、使用前や不使用時の任意の時期において、下記のようにして折り畳まれる。
次いで、マスクが折り畳まれて本考案となるための動きを、図５を用いて説明する。
図５ａに示すように、本考案のマスクは、マスク中央部５には、横方向に３つの区域に分けるように、上下方向に伸びた２本の折り曲げ線Ｌ３による折り曲げ部が設けられる。
図５ｂは、図５ａに示すマスクを図５ａの矢印方向に反転した状態の図である。図５ａ及び５ｂでは、２本の折り曲げ線Ｌ３がいずれも斜め方向に形成され、かつ図５ａでは上方に向けて広がるように形成されている。このような方向で形成されていても良く、ｕ５ａにおいて、下方に向けて広がるように形成されていても良く、又は２本の折り曲げ線Ｌ３が互いに平行に、かつ図５における上下方向に垂直に形成されても良い。
そして図５ｂに示すよう上部３と下部４にも、それぞれ折り曲げ線Ｌ１及びＬ２が形成されている。
【００１４】
（折り畳み工程１）
図５ｃに示すように、右側の折り曲げ線Ｌ３で折り曲げて、内側面Cが内側面Bに直に接するように折り畳む。
（架け渡し工程１）
内側面Ｃの端部に設けられた耳掛け部２をマスク本体１の外面側に架け渡しで、図５ｄに示すように折り畳んだ状態で固定する。
【００１５】
（折り畳み工程２）
図５ｄに示す状態において、左側の折り曲げ線Ｌ３で折り曲げて、内側面Ａが内側面Bに直に接するように折り畳む。
（架け渡し工程２）
図５ｅに示すように、内側面Ａの面の端部に設けられた耳掛け部２をマスク本体１の外面側に架け渡しで、折り畳んだ状態で固定し図５ｆの状態にする。
【００１６】
折り畳み工程１及び２と、架け渡し工程１及び２を経て折り畳まれた状態のマスクを図５ｇに示す。なお、折り畳み工程１及び架け渡し工程１と、折り畳み工程２及び架け渡し工程２の順序を入れ替えても良い。
図５ｇはマスク本体１の外面側からみた図である。
図５ｇに示すように、マスク本体１の外面側には、２つの耳掛け部２が掛け回されており、これらの耳掛け部２によって折り畳まれた状態で固定される。
図５ｆから理解できるように、マスク本体１の内面側には、２つの耳掛け部２の側が折り畳まれており、これらの耳掛け部２それぞれがマスク本体１の外面側に回される。
【符号の説明】
【００１７】
１・・・マスク本体
２・・・耳掛け部
３・・・上部
４・・・下部
５・・・マスク中央部
Ｌ１・・・上部折り曲げ線
Ｌ２・・・下部折り曲げ線
Ｌ３・・・折り曲げ線
Ａ・・・内側面
Ｂ・・・内側面
Ｃ・・・内側面
【図１】
0003233370.tif 000003
【図２】
0003233370.tif 000004
【図３】
0003233370.tif 000005
【図４】
0003233370.tif 000006
【図５】
0003233370.tif 000007
【手続補正書】
【提出日】令和3年6月10日(2021.6.10)
【手続補正１】
【補正対象書類名】実用新案登録請求の範囲
【補正対象項目名】請求項１
【補正方法】変更
【補正の内容】
【請求項１】
鼻から顎まで、かつ両頬までを覆うマスク本体と、マスク本体の左右の辺の、それぞれの上端と下端に接続する２つの耳掛け部を有するマスクであって、  折り畳んだ状態のマスク本体の上下方向は、まず、中央部、鼻を覆う上部及び顎を覆う下部に３分割され、そのマスク本体の中央部に対して、上部は上部折り曲げ線で中央部の内側に折り曲げられており、下部は下部折り曲げ線で中央部の内側に折り曲げられており、  上記のように折り曲げられた上で、さらに、マスク本体の中央部の唇の両横に相当する２つの位置それぞれに、左右の頬を覆う部分をそれぞれ内側に折り曲げるための、縦方向に形成された横方向への折り曲げ線が形成され、  そして、いずれか一方の頬を覆う部分を、唇に当たる部分の内側に向けて折り曲げ、折り曲げられた一方の頬を覆う部分に接続された１本の耳掛け部を、マスク外面に架け渡し、さらに他方の頬を覆う部分を、唇に当たる部分の内側に向けて折り曲げ、その部分に接続された１本の耳掛け部も、マスク外面に架け渡され、  マスクの外面側からみて、架け渡された２本の耳掛け部が表面にあり、マスクを折り曲げた状態で、固定してなる、  マスク。
【手続補正２】
【補正対象書類名】明細書
【補正対象項目名】０００５
【補正方法】変更
【補正の内容】
【０００５】  本考案は、１．鼻から顎まで、かつ両頬までを覆うマスク本体と、マスク本体の左右の辺の、それぞれの上端と下端に接続する２つの耳掛け部を有するマスクであって、  折り畳んだ状態のマスク本体の上下方向は、まず、中央部、鼻を覆う上部及び顎を覆う下部に３分割され、そのマスク本体の中央部に対して、上部は上部折り曲げ線で中央部の内側に折り曲げられており、下部は下部折り曲げ線で中央部の内側に折り曲げられており、  上記のように折り曲げられた上で、さらに、マスク本体の中央部の唇の両横に相当する２つの位置それぞれに、左右の頬を覆う部分をそれぞれ内側に折り曲げるための、縦方向に形成された横方向への折り曲げ線が形成され、  そして、いずれか一方の頬を覆う部分を、唇に当たる部分の内側に向けて折り曲げ、折り曲げられた一方の頬を覆う部分に接続された１本の耳掛け部を、マスク外面に架け渡し、さらに他方の頬を覆う部分を、唇に当たる部分の内側に向けて折り曲げ、その部分に接続された１本の耳掛け部も、マスク外面に架け渡され、  マスクの外面側からみて、架け渡された２本の耳掛け部が表面にあり、マスクを折り曲げた状態で、固定してなる、  マスク。２．マスク本体はその中央部の上縁及び下縁に、それぞれ２箇所の切り欠き部を有する１に記載のマスク。